(57)【要約】【課題】  外槽カバー周下部の糸くずの付着を抑制すると共に、ドアガラスへの糸くずの付着も抑制可能なドラム式洗濯機を提供する。【解決手段】  洗濯物を出し入れする開口を有し、外槽本体と外槽カバーを有する外槽と、外槽内に設置されモータにより回転駆動され、洗濯物が収容される内槽と、外槽の開口に取り付けられたベローズと、外槽の開口を開閉するドアと、ドアを閉じたときに洗濯物を内槽に押し込むドアガラスと、を有し、外槽カバーは、ドアガラスとベローズに間に向けて風を吹きつけるリントノズルを有する。【選択図】  図７
2020031693.tif 000002
【特許請求の範囲】
【請求項１】
洗濯物を出し入れする開口を有し、外槽本体と外槽カバーを有する外槽と、
前記外槽内に設置されモータにより回転駆動され、前記洗濯物が収容される内槽と、
前記外槽の開口に取り付けられたベローズと、
前記外槽の開口を開閉するドアと、
前記ドアを閉じたときに洗濯物を前記内槽に押し込むドアガラスと、を有し、
前記外槽カバーは、前記ドアガラスと前記ベローズに間に向けて風を吹きつけるリントノズルを有することを特徴とするドラム式洗濯機。
【請求項２】
請求項１記載のドラム式洗濯であって、
前記リントノズルの向きは、前記ベローズと前記ドアガラスの間と共に前下側の方向に向いているドラム式洗濯機。
【請求項３】
請求項１記載のドラム式洗濯であって、
前記リントノズルは、前記外槽カバーの右側に設けたことを特徴とするドラム式洗濯機。
【請求項４】
請求項１記載のドラム式洗濯であって、
前記リントノズルは、前記外槽カバーに設けられた送風ダクトから前記内槽への温風の吐出口より下方で、かつ前記外槽カバーの右下より上方に設けられているドラム式洗濯機。
【発明の詳細な説明】
【技術分野】
【０００１】
本発明は、ドラム式洗濯機に関する。
【背景技術】
【０００２】
一般に、ドラム式洗濯機において、ドアと洗濯槽との間を水封する為のドアベローズと呼ばれるゴムのパッキンを使用している。ゴムは、その粘性やゴムの持つ油分により、糸くずなどの汚れが表面に付着しやすい特性を持っている。また、ドアベローズとドアガラスとの間の空間や、洗濯槽と洗濯機筐体を接続する箇所の屈曲構造部分は、槽内の糸くずを含んだ空気が淀みやすい構造であるため、ドアベローズ周辺には糸くずが溜まりやすい。糸くずが多量に堆積すると、糸屑が外槽カバーを押し変形させ、回転するドラム槽と外槽前カバーとが接触する可能性のあることが特許文献１で指摘されている。
【０００３】
特許文献２のドラム式洗濯機においては、外槽カバーの周下部に、堆積した糸くずを除去する送風経路を設け、糸くずが一定以上に堆積しないような構造にすることで上記課題を解決している。
【先行技術文献】
【特許文献】
【０００４】
【特許文献１】特開２０１２−８５８４２号公報
【特許文献２】特開２０１８−１５２５２号公報
【発明の概要】
【発明が解決しようとする課題】
【０００５】
本発明の目的は、外槽カバー周下部の糸くずの付着を抑制すると共に、ドアガラスへの糸くずの付着も抑制可能なドラム式洗濯機を提供することにある。
【課題を解決するための手段】
【０００６】
上記課題を解決するために本発明のドラム式洗濯機は、洗濯物を出し入れする開口を有し、外槽本体と外槽カバーを有する外槽と、外槽内に設置されモータにより回転駆動され、洗濯物が収容される内槽と、外槽の開口に取り付けられたベローズと、外槽の開口を開閉するドアと、ドアを閉じたときに洗濯物を内槽に押し込むドアガラスと、を有し、外槽カバーは、ドアガラスとベローズに間に向けて風を吹きつけるリントノズルを有する構成とする。
【発明の効果】
【０００７】
本発明によれば、外槽カバー周下部の糸くずの付着を抑制し、且つドアガラスへの糸くずの付着も抑制可能なドラム式洗濯機を提供することができる。
【図面の簡単な説明】
【０００８】
【図１】本実施形態に係るドラム式洗濯機の分解斜視図である。
【図２】本実施形態に係るドラム式洗濯機の外観斜視図である。
【図３】発明の実施形態に係るドラム式洗濯機の内部構造を示す斜視図である。
【図４】図３のＡ−Ａ線で切断した部分断面を含む外槽カバーの斜視図である。
【図５】本発明の実施形態に係る送風ユニットの一構成例を示す図である。
【図６】本発明の実施形態に係る送風ユニットの内部構成を示す図である。
【図７】本発明に係るドラム式洗濯機の外槽カバー及びリントノズルを示す図である。
【図８】本発明の外槽カバーの正面図及びＡＡ断面図である。
【図９】本発明の外槽カバーの裏面図である。
【図１０】本発明のリントノズルの拡大図である。
【発明を実施するための形態】
【０００９】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１０】
＜洗濯乾燥機の全体構成＞
図１は、本実施形態に係る洗濯乾燥機の適用例としてのドラム式洗濯機の分解斜視図である。なお、本実施形態では、筺体内部の、洗濯機を制御するメイン基板ユニット、洗濯水を循環させる循環手段（配管、ポンプ）、対象物（布類）を乾燥させる乾燥風を循環させる乾燥手段、配管等の構成については図示を省略している。
【００１１】
図１に示すように、ドラム式洗濯機１は、本実施形態に係るドラム式の洗濯乾燥機が一体に組み込まれた洗濯機であり、筐体１０内に弾性支持された外槽３と、この外槽３内に回転自在に支持された内槽である回転ドラム４と、外槽３及び回転ドラム４を収容する筐体１０と、を備えて構成されている。
【００１２】
外槽３は、合成樹脂で円筒状に形成されたものであり、回転ドラム４を同軸上に内包している。また、外槽３は、有底円筒状の外槽本体３ａと、この外槽本体３ａの前面開口に取り付けられる外槽カバー３ｂと、によって構成されている。また、外槽３（外槽カバー３ｂ）の開口部３ｓには、ゴム製のベローズ（不図示）が取り付けられ、ドア２５を閉じることで外槽３を水封するようになっている。また、外槽３は、ダンパ５を介して弾性支持されている。
【００１３】
回転ドラム４は、回転可能に支持された円筒状の洗濯兼脱水槽であり、その外周壁に通水及び通風のための多数の貫通孔４ａが形成され、前側端面には、洗濯物を出し入れするための開口部４ｂが形成されている。開口部４ｂの外周側には、回転ドラム４と一体に回転する流体バランサ（不図示）が設けられている。また、回転ドラム４の内周壁には、洗濯運転や乾燥運転に際して洗濯物を持ち上げるリフタ４ｃが設けられている。なお、回転ドラム４の回転中心軸は、略水平又は開口部４ｂ側が高くなるように傾斜している。
【００１４】
筐体１０は、板金（金属、カラー鋼板）をプレス加工等によって、正面に配置される前板である前面パネル１１と、左右の側面に配置される側板である側面パネル１４Ａ，１４Ｂと、を有している。また、筐体１０は、板金をプレス加工等によって、上面視において略コ字状に形成されて背面に配置される背板である背面パネル１６と、外槽３の底側に配置されるベース１７と、外槽３の上方に配置される上板（トップパネル）である上面パネル１８と、を有している。
【００１５】
前面パネル１１は、正面上部に配置される前面上パネル１２と、正面下部に配置される前面下パネル１３と、を有している。前面上パネル１２は、一枚の板金で形成され、正面側を向く平坦部１２ａと、この平坦部１２ａの左右両側において湾曲する湾曲部１２ｂ，１２ｃを有している。前面下パネル１３は、一枚の板金で形成され、前面上パネル１２よりも上下方向に短く形成され、正面側を向く平坦部１３ａと、この平坦部１３ａの左右両側において湾曲する湾曲部１３ｂ，１３ｃと、を有している。また、本実施形態では、前面パネル１１を前面上パネル１２と前面下パネル１３とで分割して構成しているが、１枚のパネルで構成されていてもよい。
【００１６】
湾曲部１２ｂ，１２ｃは、前面上パネル１２の上端から下端に向けて同様の湾曲形状を呈するように形成されている。湾曲部１３ｂ，１３ｃは、前面下パネル１３の上端から下端に向けて同様の湾曲形状を呈するように形成されている。また、湾曲部１２ｂ，１２ｃと湾曲部１３ｂ，１３ｃは、互いに同じ湾曲形状である。これにより、前面上パネル１２と前面下パネル１３とを上下に重ねたときに、平坦部１２ａの表面及び湾曲部１２ｂ，１２ｃの表面と、平坦部１３ａの表面及び湾曲部１３ｂ，１３ｃの表面とが面一となるように構成されている。
【００１７】
前面上パネル１２の平坦部１２ａには、ヒンジを介してドア２５が取り付けられている。前面下パネル１３の平坦部１３ａには、図示しない糸くずフィルタのフィルタ部材を出し入れするためのフタ１３ｄが取り付けられている。
【００１８】
側面パネル１４Ａは、板金をプレス加工等によって形成されたものであり、前面パネル１１と同じ高さに形成され、該側面パネル１４Ａの後端に、内側に湾曲する湾曲部１４ａが形成されている。湾曲部１４ａは、上端から下端に向けて同様の湾曲形状を呈するように形成されている。また、側面パネル１４Ａには、運搬時に使用される手掛け部１４ｂが上下に複数箇所形成され、またリブである補強用の凹部１４ｃが複数形成されている。
【００１９】
側面パネル１４Ｂは、板金をプレス加工等によって形成されたものであり、側面パネル１４Ａと左右対称形状であり、側面パネル１４Ａの湾曲部１４ａ、手掛け部１４ｂ及び凹部１４ｃと同様に、湾曲部１４ａ、手掛け部１４ｂ及び凹部１４ｃが形成されている。
【００２０】
背面パネル１６は、板金をプレス加工等によって形成されたものであり、背面上部に設けられる背面上パネル１６Ａと、背面中央から底部にかけて設けられる背面下パネル１６Ｂと、を備えて構成されている。また、背面上パネル１６Ａ及び背面下パネル１６Ｂは、左右の両端に、側面パネル１４Ａ，１４Ｂ側に向けて湾曲する湾曲部１６ａ，１６ｂが形成されている。
【００２１】
ベース１７は、例えば合成樹脂製であり、内側に格子状のリブが形成されて補強が施されている。また、ベース１７には、側面パネル１４Ａ，１４Ｂの下端がそれぞれネジなどで固定されている。
【００２２】
上面パネル１８は、例えば合成樹脂を成形することで形成され、上面視において略矩形状に形成されている。また、上面パネル１８は、１枚の板状に構成され、前面パネル１１と側面パネル１４Ａ，１４Ｂと背面パネル１６とが連結されて構成された上面開口を塞ぐように構成されている。
【００２３】
また、上面パネル１８には、前後方向の手前左側に洗剤投入部２０、手前右側に操作パネル２２が取り付けられている。
【００２４】
また、筐体１０は、前面上部補強板３１、前面下部補強板３２、上部補強板３５、上部連結補強部３６によって補強されている。
【００２５】
前面上部補強板３１は、側面パネル１４Ａ，１４Ｂに架け渡され、側面パネル１４Ａ，１４Ｂの前面側の上端同士を連結している。すなわち、前面上部補強板３１は、板金をプレス加工等によって形成したものであり、前面に位置して直線状に延びる板部３１ａと、この板部３１ａの左右両端において外槽３側に折り曲げ形成される曲げ部３１ｂ，３１ｃと、を有している。また、板部３１ａには、当該板部３１ａと開口部４ｂとが前後方向において重ならないように切欠部３１ｄが形成されている。
【００２６】
前面下部補強板３２は、側面パネル１４Ａ，１４Ｂに架け渡され、側面パネル１４Ａ，１４Ｂの前面側の下部同士を連結している。すなわち、前面下部補強板３２は、板金をプレス加工等によって形成したものであり、前面に位置して直線状に延びる板部３２ａと、この板部３２ａの左右両端において外槽３側に折り曲げ形成される曲げ部３２ｂ，３２ｃと、を有している。また、板部３２ａには、当該板部３２ａと開口部４ｂとが前後方向において重ならないように切欠部３２ｄが形成されている。
【００２７】
また、前面下部補強板３２は、下部補強支持板３３，３４によって連結されている。下部補強支持板３３は、前面下部補強板３２の曲げ部３２ｂと連結される上部連結部３３ａと、ベース１７に固定される下部連結部３３ｂと、を有している。下部補強支持板３４は、前面下部補強板３２の曲げ部３２ｃと連結される上部連結部３４ａと、ベース１７に固定される下部連結部３４ｂと、を有している。
【００２８】
上部補強板３５は、側面パネル１４Ａ，１４Ｂに架け渡され、側面パネル１４Ａ，１４Ｂの上端縁同士を連結している。すなわち、上部補強板３５は、板金をプレス加工等によって形成したものであり、上面に位置して直線状に延びる板部３５ａと、この板部３５ａの左右両端において外槽３側に折り曲げ形成される曲げ部３５ｂ，３５ｃと、を有している。また、板部３５ａは、図示しないメイン基板ユニットを取り付けるための取付部が板部３５ａの一部を凹状に曲げ形成することで構成されている。
【００２９】
上部連結補強部３６は、上部補強板３５と背面パネル１６とを連結している。また、上部連結補強部３６は、合成樹脂により成型されたものであり、上部補強板３５と背面パネル１６とを図示しないねじを介して結合するものである。また、上部連結補強部３６は、前後方向に延び、かつ、左右方向の中央部に位置するように配置されている。なお、合成樹脂としては、高強度及び耐摩耗性に優れた樹脂、具体的にはＰＯＭ（ポリオキシメチレン樹脂）を選択することができる。
【００３０】
また、上部連結補強部３６の左右には、給水ユニット（不図示）や乾燥フィルタユニット３７などが取り付けられる。図示しない給水ユニットは、給水管（不図示）、給水ホース接続口１８ｆ（図２参照）及び風呂水ホース接続口１８ｇ（図２参照）に接続される洗剤給水電磁弁、風呂水を吸い上げるポンプなどである。
【００３１】
図２は、本発明に係る洗濯乾燥機の適用例としてのドラム式洗濯機の外観斜視図である。
【００３２】
図２に示すように、前面上パネル１２の湾曲部１２ｂ及び前面下パネル１３の湾曲部１３ｂは、ドア２５の右端の位置から側面パネル１４Ａに向けて湾曲して形成されている。また、前面上パネル１２の湾曲部１２ｃ及び前面下パネル１３の湾曲部１３ｃは、ドア２５の左端の位置から側面パネル１４Ｂ（図１参照）に向けて湾曲して形成されている。このように、本実施形態のドラム式洗濯機１は、前面パネル１１が、ドア２５の幅の位置から側面パネル１４Ａ，１４Ｂに向けて（左右に向けて）大きく湾曲した形状を有している。
【００３３】
また、上面パネル１８は、前面パネル１１と、側面パネル１４Ａと、側面パネル１４Ｂ（図１参照）と、背面パネル１６（図１参照）と、を結合したときに形成される上部開口を塞ぐことができる形状を有している。また、上面パネル１８の外周縁部は、前面パネル１１の上端縁部と、側面パネル１４Ａの上端縁部と、側面パネル１４Ｂ（図１参照）の上端縁部と、背面パネル１６の上端縁部と、重なるように構成されている。
【００３４】
筐体１０の内部には、対象物（布類）を乾燥させる乾燥風が通る送風路（不図示）が設けられている。その送風路上には、埃を捕集するための乾燥フィルタユニット３７が着脱自在に配置されている。
【００３５】
＜付着抑制される原理＞ 
以下に、糸屑等の付着が抑制される原理について説明する。
【００３６】
乾燥運転中、槽内の衣類が回転ドラム４により撹拌されると、衣類が擦れ合い、槽内空間に衣類に由来する多量の糸屑や繊維屑が発生する。また、洗濯工程時に残存した水滴及び乾燥工程時に結露により発生した水滴は、槽内に発生した糸屑や繊維屑を付着させやすい。このため、乾燥運転中に発生した糸くずは、水滴が残存しているベローズ及びドアガラスに付着し、運転後も残り続け、清潔さが保てなくなる。
【００３７】
そこで、本実施例では、外槽カバー３ｂにベローズ１０１及びドアガラス９９埃付着低減用のリントノズル１００を設ける。以下詳述する。
【００３８】
図３は、ドラム式洗濯乾燥機１の内部構造を示すための斜視図である。第１の蛇腹管１０３ａの他に、送風ユニット１０２から第１の蛇腹管１０３ａよりも口径の小さいベローズ埃付着低減用の第２の蛇腹管１０３ｂが外槽カバー３ｂに向かって接続される。
【００３９】
図５は送風ユニット１０２の構成である。送風ユニット１０２は、送風ダクト１０３に接続する第１の吐出口１０５ａと、第１の吐出口１０５ａより吐出口の面積が小さなベローズ埃付着低減用の第２の吐出口１０５ｂを備える。ファンモータ１０４から生成される風は第１の吐出口１０５ａと第２の吐出口１０５ｂから吐き出される。
【００４０】
図６は、送風ユニット１０２の内部構成である。ファンモータ１０４から生成される風はファンヒータ１０６で温められ、その温風は第１の吐出口１０５ａと第２の吐出口１０５ｂから吐き出される。
【００４１】
図７（ａ）は外槽カバー３ｂの斜視図である。第２の吐出口１０５ｂからの温風は、外槽カバー３ｂに設けられたベローズ埃付着低減用のリントノズル１００を介して吹き出す。
【００４２】
リントノズル１００は、筐体正面（前面）から見て右側に設けている。右側に設けているのは、ベローズ１０１とドアガラス９９に当たる風の面積を増やすことにより、ドアガラス９９の温度上昇を促進させるためである。
【００４３】
また、リントノズル１００を外槽カバー３ｂの右側に設けているのは、送風ユニット１０２が右上側にあり、送風ユニット１０２からの風を出来るだけ短い経路でベローズ１０１に吹き付けるためである。これにより、送風ユニット１０２からリントノズル１００までの距離を極力短くすることが出来、リントノズル１００からの温風の風量や風速のロスを抑えることが出来る。
【００４４】
このリントノズル１００から吹き出した風により、ベローズ１０１とドアガラス９９に残留している水滴を除去することによりに乾燥運転中に埃が付着しないようにして、清潔さを保つようにする。
【００４５】
一般的なドラム式洗濯機において、乾燥工程中に、洗濯物である衣類などが擦れ合って発生した糸くずや繊維くずは、乾燥の為の送風が洗濯機に組込まれているフィルタを通ることで捕獲される。しかし、全ての糸くずや繊維くずを捕獲することは困難であり、その一部は外槽壁面などの洗濯槽内に付着する。洗濯工程終了時に付着した水滴がゴム製のベローズ及びドアガラスに残ることにより、糸くずや繊維くずが付着しやすく、ベローズやドアガラスに付着した糸くずを取り除く為には定期的に雑巾などで拭き取らなければならない。
【００４６】
また、洗濯終了後にベローズに糸くずが付着している場合、予めベローズを掃除してから洗濯物を洗濯槽から取り出さなければ、洗濯物とベローズ及びドアガラスが接触する箇所に付着した糸くずが洗濯物に付着することになる。
【００４７】
尚、本明細書においては、糸くずや繊維くず、あるいはこれらと同様な汚れの原因物質を含めて単に糸くずと呼ぶこととする。
【００４８】
そこで本発明は、ベローズとドアガラスへの糸くずの付着を低減したドラム式洗濯機を提供するために、リントノズル１００をドアガラス９９とベローズ１０１に間に向けて風を吹きつけるように設けるものとする。
【００４９】
図７（ｂ）はリントノズル１００の拡大図である。リントノズル１００からの温風はベローズ１０１とドアガラス９９の間と共に前下側（手前側）の方向に向かって吹きつけられる。このように、リントノズル１００がベローズ１０１とドアガラス９９の間の方向に向くことにより、ベローズ１０１とドアガラス９９の隙間を風が通り、残存している水滴を除去することが出来る。また、リントノズル１００は送風ダクト１０３から内槽４へ風を吐出する外槽カバー３ｂに設けられている吐出口より下方位置で、なおかつ、外槽カバー３ｂの右下位置より上方に設けることが望ましい。
【００５０】
図８（ａ）は外槽カバー３ｂの正面図であり、図８（ｂ）は図８（ａ）のＡＡ断面図である。
【００５１】
図９（ａ）は、外槽カバー３ｂの裏面図（筐体後側から見た図）である。送風ユニット１０２に接続された第２の蛇腹管１０３ｂは、外槽カバー３ｂの右上側に設けられた蛇腹接続部１０７に接続される。蛇腹接続部１０７は管１０８に接続され、管１０８はリントノズル１００に接続される。図９（ｂ）は図９Ａ部の拡大図であり、蛇腹接続部１０７からの温風１０９は管１０８を介してリントノズル１００から吹き出される。また、リントノズル１００からの温風１１０は上述のようにベローズ１０１とドアガラス９９の間と共に前下側（手前側）の方向に向かって吹きつけることで、ベローズ１０１とドアガラス９９の間に風が吹きつけられる。
【００５２】
図１０はリントノズル１００の拡大図である。管１０８の挿入口１０８ａを介してリントノズル１００から風が吹き出される。これは、風量や風速のロスを低減させるため、挿入口１０８ａからリントノズル１００に向かう風路の外形は滑らかな面で形成されるのがよい。
【００５３】
以上説明したように、乾燥工程中に送風ユニット１０２から送り込まれた風を、リントノズル１００よりベローズ１０１とドアガラス９９に向けて風を吹付ける。これにより、ベローズ１０１とドアガラス９９に残存している水滴を除去することが出来、乾燥工程で衣類などが擦れ合って発生した糸くずや繊維くずがベローズ１０１とドアガラス９９へ付着することを抑制することができる。
【００５４】
また、乾燥中に付着する糸くずの多くは、乾燥工程中にベローズ１０１の表面である露出面１１１及びドアガラス９９に付着している水滴の粘性により、ベローズ露出面１１１及びドアガラス９９に付着する。糸くずの付着の原因となる水滴は、洗濯行程中に槽内で飛散した洗い水やすすぎ水が乾燥工程までベローズ露出面１１１及びドアガラス９９に残存したり、乾燥運転中に槽内湿度が上昇した際にベローズ露出面１１１及びドアガラス９９に結露することによって生じる。このため、乾燥工程中、槽内空間に糸屑が発生した後もベローズ露出面１１１及びドアガラス９９に水滴が存在すれば、糸屑はベローズに付着する。
【００５５】
ベローズ露出面１１１及びドアガラス９９の水滴を介して一旦付着した糸屑は、乾燥工程が進みベローズ露出面１１１及びドアガラス９９の水分が乾燥した後も、ベローズ露出面１１１及びドアガラス９９に残り続ける。しかし、ベローズ１０１とドアガラス９９の間に風を吹付けるリントノズル１００を設け、送風することにより、ベローズの露出面（表面）１１１及びドアガラス９９に付着している水滴の乾燥促進、そして一旦付着した糸屑もベローズに吹き付けた風によって吹き飛ばされる。
【００５６】
また、乾燥中、衣類へ吹きかけるファンによる風の風速が早いほど、発生する気流も速くなり、結果的に、ベローズ１０１及びドアガラス９９に糸屑が付着しにくく、一旦付着した糸屑も剥がれやすくなる。また、ベローズ露出面１１１及びドアガラス９９にある水滴が乾燥工程中に乾いてから、衣類が乾き乾燥運転が終了するまでの時間、つまり風がベローズ１０１及びドアガラス９９に付着した糸屑へ吹きかかる時間が長いほど、風が糸屑を剥すための力が糸屑へ働く機会が多くなり、糸屑が残りにくくなる。
【００５７】
なお、本実施例ではドラム式洗濯乾燥機を例に説明をしたが、このドラム式洗濯乾燥機にはいわゆる衣類乾燥機も含まれる。
【００５８】
本発明に係る実施例によれば、ベローズ１０１及びドアガラス９９への糸屑の付着が抑制され、リントノズル１００からの風を吹付けることにより水滴を除去するため糸くずを付着したままになりにくい。その結果、ベローズ表面１１１を清潔に保つことができる。さらに、糸くずを介して付着する泥汚れや油汚れなどのその他の汚れ付着も防止できる。このため、ベローズ１０１及びドアガラス９９の清潔を保ち、ベローズ１０１及びドアガラス９９を掃除する手間を軽減し、洗濯物取り出しの際に、ベローズ１０１及びドアガラス９９から洗濯物へ糸くずが移ることを防ぐことができる。
【００５９】
なお、本発明は上記した各実施例に限定されるものではなく、様々な変形例が含まれる。例えば、上記した実施例は本発明を分かりやすく説明するために詳細に説明したものであり、必ずしも全ての構成を備えるものに限定されるものではない。
【符号の説明】
【００６０】
１    ドラム式洗濯機
３    外槽
３ａ  外槽本体
３ｂ  外槽カバー
３ｓ  開口部
４    回転ドラム
１０  筐体
１１  前面パネル
１２  前面上パネル
１３  前面下パネル
１４Ａ  側面パネル
１４Ｂ  側面パネル
１６  背面パネル
１７  ベース
１８  上面パネル
２５    ドア
３７    乾燥フィルタユニット
９９    ドアガラス
１００  リントノズル
１０１  ベローズ
１０２  送風ユニット
１０３  送風ダクト
１０３ａ  第１の蛇腹管
１０３ｂ  第２の蛇腹管
１０４  ファンモータ
１０５ａ  第１の吐出口
１０５ｂ  第２の吐出口
１０６  ファンヒータ
１０７  蛇腹接続部
１０８  管
１０８ａ  挿入口
１１１  ベローズ露出面
【図１】
2020031693.tif 000003
【図２】
2020031693.tif 000004
【図３】
2020031693.tif 000005
【図４】
2020031693.tif 000006
【図５】
2020031693.tif 000007
【図６】
2020031693.tif 000008
【図７】
2020031693.tif 000009
【図８】
2020031693.tif 000010
【図９】
2020031693.tif 000011
【図１０】
2020031693.tif 000012